(57)【要約】【課題】外壁材との目地間隙のバックアップ材として機能し、かつ窓サッシ枠上部の通気層内の水分を受け、逆流させることなく確実に室外へ排出する。【解決手段】外壁材５５は、窓サッシ枠４８との間の目地間隙５１、壁下地材４１との間に通気層４６を設けて、壁下地材４１に固定される。窓サッシ枠４８に、幅方向略全長に亘る水処理部材１を設置して水処理構造７０とする。水処理部材１は、壁下地材４１の外面４２に沿う第１板片３と、外壁材５５の内面５６に沿う第２板片７と、第１板片３の下縁４と第２板片７の下縁８とを連設する底板片１０とからなる。底板片１０は、窓サッシ枠４８の上面４９に配置される底板部１１と、室外側に突出して外壁材５５の下面に当接する水平突出部１２とを有する。水平突出部１２に、室外側に向く排水口２４を設けて、排水口２４付近に弁や仕切板からなる逆流防止手段を形成する。【選択図】図６
2014020169.tif 000002
【特許請求の範囲】
【請求項１】
サッシが形成された外壁の開口部であって、外壁材の下面とサッシ枠の上面との間の目地間隙に形成される水処理構造であって、以下のように構成されることを特徴とする外壁開口部上部の水処理構造。
(1) 壁下地材の外面に通気層を設けて、前記外壁材の内面側が固定される。
(2) 前記通気層の下縁であって、前記サッシ枠の幅方向略全長に亘る長さの水処理部材を設置し、前記水処理部材は、縦方向に並列する第１板片、第２板片と、底板片とを有する構造とする。
(3) 前記水処理部材の前記第１板片は、前記壁下地材の外面に沿って配置され、第２板片は前記外壁材の内面に沿って配置され、前記底板片は前記第１板片の下縁と第２板片の下縁とに連設される。
(4) 前記水処理部材の前記底板片は、前記第１板片に連設すると共に前記サッシ枠の上面に配置される底部と、第２板片に連設すると共に室外側に突出して前記外壁材の下面の少なくとも一部に当接する水平突出部とを有する。
(5) 前記水処理部材の底板片の水平突出部に、室外側に向く排水口を設けて、前記排水口付近に逆流防止手段を形成する。
【請求項２】
以下のように構成する請求項１に記載の外壁開口上部の水処理構造。
(1) 水処理部材の底板片の縦片に、室外側に向けて突出する排水突出部を形成する。
(2) 前記排水突出部の室外側に排水口を設ける。
【請求項３】
以下のように構成する請求項１に記載の外壁開口上部の水処理構造。
(1)通気層の幅方向で、水処理部材の両端を塞ぐエンドキャップを取り付けた。
【請求項４】
以下のように構成する請求項１に記載の外壁開口上部の水処理構造。
(1) 前記逆流防止手段は、「前記排水口付近で、サッシ枠の幅方向で浸入した雨水の飛散を防止する複数の仕切板、または、前記サッシ枠の上下方向で雨水の飛散を防止するしぶき止め板、あるいは両板を組み合わせて設け」または「常時開放し、室外の圧力が前記通気層の圧力より高い場合には前記排水口を塞ぐ逆流防止弁を設け」て構成した。
【請求項５】
壁下地材と外壁材の間に通気層を有し、サッシが形成された外壁の開口部であって、外壁材の下面とサッシ枠の上面との間の目地間隙に形成される水処理構造に適用し、以下のように構成されることを特徴とする水処理部材。
(1) 壁下地材の外面に通気層を設けて、前記外壁材の内面側が固定される。
(2) 前記通気層内に配置される縦方向に並列する第１板片、第２板片と、第１板片の下縁と第２板片の下縁を連結する底板片とを有する。
(3) 前記底板片は、前記サッシ枠の上面に配置される底部と、室外側に突出して前記外壁材の下面の少なくとも一部に当接する水平突出部とを有する。
(5) 前記底板片の水平突出部に、室外側に向く排水口を設けて、前記排水口付近に逆流防止手段を形成する。
【発明の詳細な説明】
【技術分野】
【０００１】
この発明は、主に、外壁の開口部周りで、サッシ枠の上端と外壁材の下端との間の目地部分の通気層内の水分を受けて、かつ室外に排出する水処理構造、およびこの水処理構造に使用する水処理部材に関する。
【背景技術】
【０００２】
従来、サッシが形成された外壁の開口部では、外壁材の下面とサッシの上面との間の目地間隙が形成され、目地間隙（シーリング目地）にいわゆる片ハットジョイナー（外壁材受けの金物）などのバックアップ材が固定され、目地間隙にシーリング材を充填していた。また、通常は、壁下地材の外側に、所定間隙の通気層を設けて、外壁材の内面側を固定していた。従って、壁下地材と外壁材の間の間隙（通気層）に、結露水や室外から浸入した雨水などが溜まると、サッシ枠の上面付近に水が溜まり、室内側への雨水の浸入やかび等の原因などになっていた。とりわけ、ある程度の開口幅が長い場合（例えば５０ｃｍ以上）の場合には特に、そのおそれがあった。そこで、サッシ上面の目地に室外側に向けて排水口を形成して、サッシ枠の上面に溜まった水を排水する工夫がなされていた。
【０００３】
ところが、強風を伴う雨の場合、室外側の圧力が高いので、排水口から逆に雨水が室内側に逆流するおそれがあった（図１０）。  
雨水の逆流を防止するために、前面側に形成した排水口と左右側面又は背面に形成した流入口を有する成形体を目地に配置する水抜き部材の発明が提案されている（特許文献１）。この水抜き部材では、強風が吹き付けた場合の雨水の吹き込み防止のために、成形体内にスポンジなどの充填材を設けていた。
【先行技術文献】
【特許文献】
【０００４】
【特許文献１】特開２００１−３５５２９１公報
【発明の概要】
【発明が解決しようとする課題】
【０００５】
前記従来の水抜きでは、雨水の逆流を防止するため、スポンジの効果に頼っていたが、ある程度風が強くなると（例えば、１２ｍ／Ｓ以上）、逆流防止効果はなく、サッシ枠上に大量の雨水が吹込み浸入するおそれがあった。すなわち、箱状の成形体の底板の厚さ分の水は排出されず、サッシ枠の上面に滞留し、サッシの両端から壁内を流れ落ちる構造であった。
【課題を解決するための手段】
【０００６】
そこでこの発明では、前記サッシ枠の幅方向略全長に亘る長さの水処理部材（水切り具）を設置し、水処理部材に底板材と逆流防止手段を有する排水口を設けたので、水処理部材で通気層の水分を受け、通気層の水分を溜めて、逆流させずに室外側に排水するこができ、前記問題点を解決した。
【０００７】
すなわち、この発明は、水処理構造の発明は、サッシが形成された外壁の開口部であって、外壁材５５の下面５８とサッシ枠の上面４９との間の目地間隙５１に形成される水処理構造であって、以下のように構成されることを特徴とする外壁開口部上部の水処理構造である。  
(1) 壁下地材４１の外面４２に通気層４６を設けて、前記外壁材５５の内面５６側が固定される。  
(2) 前記通気層４６の下縁であって、前記サッシ枠の幅方向略全長に亘る長さの水処理部材１を設置し、前記水処理部材１は、縦方向に並列する第１板片３、第２板片７と、底板片１０とを有する構造とする。  
(3) 前記水処理部材１の前記第１板片３は、前記壁下地材４１の外面４２に沿って配置され、第２板片７は前記外壁材５５の内面５６に沿って配置され、前記底板片１０は前記第１板片３の下縁４と第２板片７の下縁８とに連設される。  
(4) 前記水処理部材１の前記底板片１０は、前記第１板片３に連設すると共に前記サッシ枠４８の上面４９に配置される底部（底板部）１１と、第２板片３に連設すると共に室外側に突出して前記外壁材５５の下面の少なくとも一部に当接する水平突出部１２とを有する。  
(5) 前記水処理部材１の底板片１０の水平突出部１２に、室外側に向く排水口２４を設けて、前記排水口付近に逆流防止手段を形成する。
【０００８】
また、前記において、以下のように構成する壁開口上部の水処理構造である。  
(1) 水処理部材１の底板片１０の縦片に、室外側に向けて突出する排水突出部２０を形成する。  
(2) 前記排水突出部２０の室外側に排水口を設ける。
【０００９】
また、前記において、以下のように構成する外壁開口上部の水処理構造である。  
(1) 通気層の幅方向で、水処理部材１の両端を塞ぐエンドキャップ３５を取り付けた。
【００１０】
また、前記において、以下のように構成する外壁開口上部の水処理構造である。  
(1) 前記逆流防止手段は、「前記排水口２４付近で、サッシ枠４８の幅方向で浸入した雨水の飛散を防止する複数の仕切板、または、前記サッシ枠４８の上下方向で雨水の飛散を防止するしぶき止め板、あるいは両板を組み合わせて設け」または「常時開放し、室外の圧力が前記通気層４６の圧力より高い場合には前記排水口２４を塞ぐ逆流防止弁を設け」て構成した。
【００１１】
また、水処理部材１の発明は、壁下地材４１と外壁材５５の間に通気層４６を有し、サッシ４８が形成された外壁の開口部であって、外壁材５５下面５８とサッシ枠の上面４９との間の目地間隙５１に形成される水処理構造に適用し、以下のように構成されることを特徴とする水処理部材１である。  
(1) 壁下地材４１の外面４２に通気層４６を設けて、前記外壁材５５の内面５６側が固定される。  
(2) 前記通気層４６内に配置される縦方向に並列する第１板片３、第２板片７と、第１板片３の下縁と第２板片７の下縁を連結する底板片１０とを有する。  
(3) 前記底板片１０は、前記サッシ枠４８の上面４９に配置される底部（底板部）１１と、室外側に突出して前記外壁材５５の下面の少なくとも一部に当接する水平突出部１２とを有する。  
(4) 前記底板片１０の水平突出部１２に、室外側に向く排水口２４を設けて、前記排水口２４付近に逆流防止手段を形成する。
【発明の効果】
【００１２】
この発明の水処理部材または水処理構造では、外壁の通気層内に底部を有する水処理部材が配置されるので、サッシ上部の通気層内の水分を受けることができる。また、サッシ枠の上面との間の目地間隙に合わせて排水口が配置されるので、溜まった水分をサッシの両端から壁内に流下させることなく確実に室外へ排出でき、また排出口に逆流防止機構を設けるので、暴風雨などで溜まった水分や外からの雨水が逆流することを防止できる。また、水処理部材の底部に、外壁材の下面を受ける水平突出部を形成したので、目地間隙にシーリング材を充填する際のバックアップ材として機能することもできる。
【図面の簡単な説明】
【００１３】
【図１】図１（ａ）（ｂ）はこの発明の実施例を適用した外壁の正面図である。
【図２】図２は、この発明の水処理部材で、（ａ）は平面図、（ｂ）は正面図、（ｃ）は右側面図である。
【図３】図３（ａ）は図２のＣ−Ｃ線における拡大断面図、（ｂ）はＤ−Ｄ線における拡大断面図である。
【図４】図４はこの発明の水処理部材で、構成を表す斜視図である。
【図５】図５（ａ）（ｂ）（ｃ）は、この発明の水処理部材で、逆流防止弁を表す拡大縦断面図である。
【図６】図６（ａ）は図１のＡ−Ａ線における拡大断面図で、（ｂ）はＢ−Ｂ線における断面図である。
【図７】図７は、施工途中を表す正面図で、（ａ）は水処理部材の取り付け前、（ｂ）は水処理部材の取り付け後を表す。
【図８】図８は、仕切版を使用した逆流防止機構を適用した実施例の水処理部材で、（ａ）は一部正面図、（ｂ）はＥ−Ｅ断面図、（ｃ）は平面図である。
【図９】図９は、同じく仕切版を使用した他の逆流防止機構を適用した実施例の水処理部材で、（ａ）は一部正面図、（ｂ）はＦ−Ｆ断面図である。
【図１０】図１０は従来構造の縦断面図である。
【発明を実施するための形態】
【００１４】
１．水処理構造が適用される開口部構造
【００１５】
（１）  壁下地材４１に開口が形成され、開口に窓サッシ枠４８が取り付けられる（図６）。
【００１６】
（２）  壁下地材４１の内面側（室内側）に、壁構造が形成され（図示していない）、壁下地材４１の外面４２側（室外側）に、胴縁材４４を固定して、胴縁材４４に外壁材（外装材、サイディング）５５の内面５６が固定される。壁下地材４１の外面４２と外壁材５５の内面５６との間に、胴縁材４４の厚さ相当分の通気層４６（幅Ｄ１）が形成される（図６）。  
窓サッシ枠４８の上面４９と外壁材５５の下面５８との間に、目地間隙５１（幅Ｄ２）が形成され、窓サッシ枠４８は、外壁材５５の外面５７より室外側に突出している（図６）。
【００１７】
２．水処理構造に適用する水処理部材１
【００１８】
（１）  水処理部材１は、
・壁下地４１の外面４２に沿って配置される第１板片３と、
・外壁材５５の内面５６に沿って配置される第２板片７と、
・両板片３、７の下縁４、８を連結する底板片１０と
から構成される（図２、３、４）。また、水処理部材１の幅Ｌ１０（窓サッシ枠４８の幅Ｌ０方向）は（図２）、窓サッシ枠４８の幅Ｌ０と同等または、窓サッシ枠４８から左右に突き出た長さＬ０以上の大きさで形成される。また、水処理部材１は通常は、アルミニウム系、鋼板系などの金属材料で形成するが、各種合成樹脂材料を使用することもできる。  
また、水処理部材１の両端に、底板片１０の全部と、第１板片３の下部、第２板片８の全部を塞ぐことができるエンドキャップ３５、３５をそれぞれ取り付ける。エンドキャップ３５は、水処理部材１に溜まる水分が少ないと予想される場合には、少なくとも底板片１０の全部と第１板片３の下側一部、第２板片７の下側一部を覆うことができる形状で形成する形状であれば充分である（第２板片７の全部を塞ぐ必要は無い）。  
第１板片３と第２板片７とは、縦に配置され、通気層４６（距離Ｄ１）に対応した距離を保って並列され（図２（ｃ）、図３）、第１板片３の下縁４は、第２板片７の下縁８より、目地間隙５１に対応した分（＝Ｄ２）だけ下方に下がって配置される（図３）。  
底板片１０は、
・第１板片３に連結され、かつ窓サッシ枠４８の上面４９に沿って配置される底部１１と、
・第２板片７に連結され、かつ外壁材５５の下面５８の一部（内側）に当接して、目地間隙５１を封鎖するコ字状の水平突出部１２と、
からなる（図３、図４）。
【００１９】
（２）  水平突出部１２は、
・第２板片７よりも室外側（第１板片３の反対側）に突出し、
・その下面が底部１１と面一に連結する突出下面１４と、
・その上面が外壁材５５の下面５８に当接し、かつ第２板片７の下縁８に連設する突出上面１６と、
・突出下面１６と突出上面１４とを結ぶ突出縦面１８と
を有する（図３、図４）。  
突出上面１６は、窓サッシ枠４８の上面４９に沿って配置され、水平突出部１２（突出上面１６）の室外側への突出長さＬ４は、外装材５５の厚さに対して「厚さ−１０ｍｍ」程度で形成される（図３（ａ））。これにより、第２板片7と水平突出部１２で構成される構造により、従来の片ハットジョイナーと同じ形状のバックアップ材が形成される（図６）。
【００２０】
（３）  コ字状の水平突出部１２で、突出縦面１８の一部を室外側に突出させて排水突出部２０を形成する。排水突出部２０は水処理部材１の幅方向で少なくとも１箇所で形成して、かつ室外側の突出縦面に開口を形成して排水口２４とする。  
排水突出部２０は、水処理部材１の幅方向で、長さＤ５（通常Ｄ５＝１０〜４０ｍｍ程度。通常３０ｍｍ程度）で形成される（図２（ａ））。排水突出部２０の下面２１は、窓サッシ枠４８の上面４９に沿うように形成され、すなわち底部１１と面一で形成されている。また、排水突出部２０の上面２２は、水平突出部１２の突出上面１６より高さＨ５下がって形成され（図３（ｂ））、水平突出部１２の突出上面１６と段差が形成される。すなわち、排水突出部２０の上面２２と外壁材５５の下面５８との間に高さＨ５の間隙が形成される。高さＨ５は、外壁材５５の下面５８との間に有効なシーリング材の注入ができる程度の距離に形成され、通常は、Ｈ５＝１〜３ｍｍ（通常は２ｍｍ程度）に形成される。
【００２１】
（４）  また、排水突出部２０（排水口２４）は、窓サッシ枠４８の幅Ｌ０の中央付近に位置させる。通常は窓サッシ枠４８の幅Ｌ０が５００ｍｍ以上の場合に設ける。また窓サッシ枠４８の幅Ｌ０が比較的大きい場合には、排水突出部２０（排水口２４）を２つ以上設けることが望ましく、この場合、隣接する排水突出部２０（排水口２４）の距離Ｌ１を１ｍ以内とすることが望ましい（図１）。なお、幅Ｌ０によらず、通気層４６内に水が発生する可能性等により、適切に設けることもできる。また、窓サッシ枠４８（水処理部材１の幅方向）の左右両端から距離Ｌ２（＝１００ｍｍ）以上を空けて設け ることもできる。
【００２２】
（５）  また、上記より、第１板片３の下端４、底板片１０の底部１１、底板片１０の水平突出部１２の突出下面１４、排水突出部２０の下面２１は、窓サッシ枠４８の上面４９に載置される一体の平板状に形成される（図３（ｂ）。
【００２３】
（６）  また、前記水処理部材１の排水口２４には、逆流防止弁３０を形成する。逆流防止弁３０は、排水口２４を、室外側から塞ぐことができる小板片３２で形成され、排水突出部２０の上面２２側に形成した水平ヒンジ３１の周りに回転自在に形成され、通常状態（室外側の圧力が大きく無い場合）には、自重でほぼ垂直に垂れた状態にあり、逆流防止弁３０の小板片３２の下端部と排水突出部２０の下面２１との間に若干の隙間が形成され、溜まった水を排水できる（図５（ａ）実線図示３２）。また、この場合、排水突出部２０は、上面２２の端２２ａが下面２１の端２１ａより室外側に突出するように形成することが望ましい（図５）。  
また、強風などで、室外側の圧力が大きくなった場合、室外側の圧力で逆流防止弁３０の小板片３２の室外側面が押されて、小板片３２が排水突出部２０の下面２１に当接して、排水口２４は塞がれる（図５（ａ）鎖線図示３２）。
【００２４】
３．水処理部材１を適用した水処理構造
【００２５】
（１）  壁下地材４１に開口が形成され、開口に、幅Ｌ０の窓サッシ枠４８が取り付けられている。防水テープ６１、透湿防水シート６２のなどの他の水処理の仕様は、従来の各種仕様を適宜選択して施工する。例えば、以下（２）〜（４）のように施工する。
【００２６】
（２）  壁下地材４１の外面側で、窓サッシ枠４８の外周のフィンの縁４８ａの外周を塞ぐように、四周に防水テープ６１Ａ、６１Ａを張り、続いて壁下地材４１で下から開口部分を十分に覆う高さ程度まで（あるいは壁下地４１のほぼ全面としてもよい）透湿防水シート６２Ａ、６２Ａを張る（図７（ａ））。  
また、使用する水処理部材１は幅Ｌ１０は（図２（ａ））、窓サッシ枠４８の幅Ｌ０に対して「Ｌ１０＞Ｌ０」として、サッシ枠４８の両側に多少（＝目地間隙５１のシーリング目地幅Ｄ２程度）突出する。
【００２７】
（３）  続いて、透湿防水シートが張られた壁下地材４１の外面（室外側）４２に、水処理部材１を固定する。この際、当然に、水処理部材１は、透湿防水シート６２Ａを介して壁下地材４１の外面４２に固定される。また、この際、水処理部材１の水平突出部１２、排水突出部２０は、形成予定の目地間隙５１に合わせて配置される。  
水処理部材１の第１板片３は、透湿防水シート６２Ａを介して壁下地材４１に重ねられ、第１板片３の上縁４ａを塞ぐように両面粘着防水テープ６１Ｂを張る。続いて、壁下地材４１に、防水テープ６１Ｂ、６１Ｂ、第１板片３を塞ぐように透湿防水シート６２Ｂ、６２Ｂを張る（図７（ｂ））。  
続いて、従来通り、その他必要な透湿防水シートを張り上げる（図示していない）。
【００２８】
（４）  以下、従来の工法と同様に、壁下地４１の室外側に胴縁材４４を固定し、さらに外壁材５５の下面５８を水処理部材１の水平突出部１２の突出上面１６に当てながら、胴縁材４４に外壁材５５を固定する。  
水処理部材１の水平突出部１２により、窓サッシ枠４８の上面４９と外壁材５５の下面５８との間に目地間隙５１が形成されるので、水処理部材１がバックアップ材として機能して、目地間隙５１にシーリング材６０を充填して目地を形成する（図６（ａ））。この場合、排水突出部２０の上面２２と外壁材５５の下面５８との間の高さＨ５の間隙にもシーリング材６０を充填する（図６（ｂ））。
【００２９】
（５）  以上のようにして、この発明の水処理構造７０を構成する（図７（ｂ）、図６（ａ）（ｂ）、図１（ａ））。
【００３０】
（６）  このようにして構成した水処理部材１、水処理構造は、通気層内４６内の水分を受けて、下に溜める「水受け」の機能と、溜まった水分を排出し、かつ室外側から雨水が通気層４６内に浸入することを防止する「水抜き」の両機能を発揮できる。  
とりわけ、第１板片３、第２板片７、底板片１０の底部１１等により、逆コ字状に形成され、これが水受け溝のような機能を発揮して、通気層４６内の水分を逃すことなく集めることができる。  
また、水処理部材１が受けた水分は、適切な水勾配が設定されているので、底板片１０の水平突出部１２の排水突出部２０の排水口２４から室外に排出される。また、室外の気圧が高い暴風雨の場合には、排水口２４付近に設けられた逆流防止機能により、室外から排水口２４に雨水が浸入することが防止され、あるいは排水口２４に雨水が浸入しても通気層４６内に充満しないように、底板片１０付近に留まらせることができる。
【００３１】
（７）  前記における防水テープ６１Ａ、６１Ｂ、透湿防水シート６２Ａ、６２Ｂの構成は、従来の施工手順に従って、適宜変更して構成することもできる（図示していない）。
【００３２】
４．他の実施態様
【００３３】
（１）  前記実施態様において、逆流防止弁３０は、水平ヒンジ３１周りに回動する小板片３２を板状としたが、他の構造とすることもできる（図５（ｂ）（ｃ））。すなわち、小板片３２をＬ字状として折り返し点付近に水平ヒンジ３１を形成することもできる（図５（ｂ））。また、小板片３２を排水突出部２０の上面２２を構成する板材と一体として、切り込みを入れた薄肉部を水平ヒンジ３１とすることもできる（図５（ｃ））。
【００３４】
（２−１）  また、前記実施態様において、逆流防止機構は、逆流防止弁３０を使用したが（図５）、逆流防止弁３０を省略して、しぶき止め板３６、仕切板３７、３８を使用した構造で暴風雨時の吹き込み防止を図ることもできる（図８、図９）。前記逆流防止弁３０では排水口２４から雨水を入れない工夫であるが、しぶき止め板３６、仕切板３７、３８では、排水口２４から多少の雨水の浸入は許容するが、排水口２４の周辺で雨水の飛散を押さえて、通気層４６の全体に雨水が飛散することを防止する工夫である。
【００３５】
（２−２）  例えば、以下のように構成する（図８）。通気層４６内（第１板片３と第２板片７との間）で、略垂直な仕切板３７、３７を並列して、排水突出部２０の縦板２３に連続して配置する。仕切板３７の室内側（第１仕切板３側）の端縁３６ａは、第１仕切板３から距離を設けて（第１仕切板３には当接しない）配置し、仕切板３７の屋外側の端縁３７ｂは縦板２３に当接し、上部では第２板片７に当接する。また、仕切板３７の下縁を、水平突出部１２の突出下面１４、底板片１０に当接して、仕切板３７の上縁は水平突出部１２の突出上面１６に当接して、通気層４６内では底板片１０から高さＨ６に形成される（図８）。  
また、仕切板３７、３７の両外側（水処理部材１の幅Ｌ１０方向。排水口２４から離れる方向）に、略垂直な仕切板３８、３８をそれぞれ並列して配置する。仕切板３８の室内側（第１板片３側）の端縁３８ａは、第１板片３に当接し、仕切板３８の屋外側の端縁３８ｂは第２仕切板７から距離を設けて（第２仕切板７には当接しない）配置する。また、仕切板３８の下縁は底板片１０に当接して、仕切板３８の上縁は通気層４６内で底板片１０から高さＨ６に形成される。  
また、底板片１０の下面からＨ６の高さに、略水平方向のしぶき止め板３６を配置して、しぶき止め板３６の下面を仕切板３７、３８の上端に固定する。しぶき止め板３６の室内側（第１板片３側）の端縁３６ａは、第１板片３に当接し、しぶき止め板３６の屋外側の端縁３６ｂは第２仕切板７に当接する。したがって、排水口２４の上方で、底板片１０の上方高さＨ６の位置で、上下方向で部分的に通気層４６を塞ぐ。  
前記において、高さＨ６は、通気層４６に溜まった滞留水に水没しない程度の高さとする。すなわち、通気層４６に溜まった滞留水は常にしぶき止め板３６の下面より下方に位置する（図８）。
【００３６】
（２−３）  このように形成した逆流防止機構では、暴風雨時に排水口２４から入った圧力の高い雨水は、第１板片３、仕切板３７、３７、しぶき止め板３６に囲まれた部分で勢いが弱められ、通気層４６内に飛散することが無い。もし、多少飛散した雨水も、外側の仕切板３８、３８に当たるので、さらに確実に飛散を防止できる（図８）。  
また、通常の通気層４６内の水分は、水処理部材１の底板片１０上に溜まり、水勾配にしたがって、仕切板３８の端縁３８ａと第２板片７との間、仕切板３７の端縁３７ａと第１板片３との間を通って、排水口２４から排出される。この場合、より排水を確実にするために、仕切板３７の下縁で、水平突出部１２の突出縦面１８付近に、水抜き孔３９を形成する（図８）。
【００３７】
（２−４）  また、前記において、さらに確実に雨水の飛散を防止するためには、仕切板３８、３８の外側に、第２板片３当接して第１板片３から離した仕切板をさらに設けることもできる（図示していない）。また、図５の逆流防止弁３０を併用することもできる。
また、前記において、雨水の飛散がそれほど無いと想定する場合には、しぶき止め板３６、仕切板３７、仕切板３８のいずれか１つ又は２つの部材から逆流防止機構を構成することもできる（図示していない）。
また、仕切板３７、３８は垂直、しぶき止め板３６は水平とすることが望ましいが、それぞれ略垂直、略水平としたので、それぞれ多少傾斜して設けることもできる（図示していない）。
【００３８】
（３−１）  また、仕切板３７、３８、しぶき止め板３６を使って、他の逆流防止機構とすることもできる。例えば、以下のように構成する（図９）。
【００３９】
（３−２）  水処理部材１の幅Ｌ１０方向で排水口２４の外側（排水口２４から離れる方向。幅Ｌ１０方向で図８の仕切板３８と同程度の位置）に、高さＨ６の略垂直方向の仕切板３７、３７を並列して配置する。仕切板３７の室内側（第１仕切板３側）の端縁３６ａは、第１仕切板３に当接し、仕切板３７の屋外側の端縁３７ｂは第２板片７から距離をあけてある（第２仕切板７には当接しない）。また、仕切板３７の下面は底板片１０に当接する（図９）。
また、底板片１０の下面からＨ６の高さに、略水平方向のしぶき止め板３６を配置して、しぶき止め板３６の下面を仕切板３７、３７の上端に固定する。しぶき止め板３６の室内側（第１板片３側）の端縁３６ａは、第１仕切板３に当接し、仕切板３７の屋外側の端縁３６ｂは第２板片７から距離をあけてある（第２仕切板７には当接しない）（図９）。
また、高さＨ６は、図８の逆流防止機構と同様に通気層４６に溜まった滞留水に水没しない程度の高さとする。
【００４０】
（３−３）  このように形成した逆流防止機構では、暴風雨時に排水口２４から入った圧力の高い雨水は、第１板片３、仕切板３７、３７、しぶき止め板３６に囲まれたゴールポスト状の部分で勢いが弱められ、通気層４６内に飛散することを防止できる（図９）。とりわけ、広範囲に飛散する可能性が高いような暴風雨時に有効である。  
また、通常の通気層４６内の水分は、水処理部材１の底板片１０上に溜まり、水勾配にしたがって、仕切板３７の端縁３７ａと第２板片７との間を通って、排水口２４から排出される（図８）。
【００４１】
（３−４）  また、図８の逆流防止機構と同様に、図５の逆流防止弁３０を併用することもでき、また、しぶき止め板３６、仕切板３７のいずれか１つを省略することもできる（図示していない）。  
また、図８の逆流防止機構と同様に、仕切板３７は垂直、しぶき止め板３６は水平とすることが望ましいが、それぞれ略垂直、略水平としたので、それぞれ多少傾斜して設けることもできる（図示していない）。
【００４２】
（４）  また、前記実施態様において、排水突出部２０を形成して排水口２４を形成したが、排水突出部２０を省略して、水平突出部１２の突出縦面１８に直接に排水口２４を形成することもできる（図示していない）。
【００４３】
（５）  また、前記実施態様において、窓サッシ枠４８を有する開口部に適用したが、ドアサッシの開口部に適用することもできる（図示していない）。
【００４４】
（６）  また、前記実施態様において、第１板片３の下端４、底板片１０の底部１１、底板片１０の水平突出部１２の突出下面１４、排水突出部２０の下面２１は、窓サッシ枠４８の上面４９に沿って載置される一体の平板状に形成したが、一般に窓サッシ枠４８の上面４９は、水勾配がとられており、この平板状を全体に室外側（排水突出部２０の下面２１の端２１ａ）が低くなるように（＝第１板片３の下端４が高くなるように）勾配を形成することもできる（図示していない）。
【００４５】
（７）  また、前記実施態様において、水平突出部１２は、突出下面１４、突出縦面１８、突出上面１６から逆コ字状に形成したが、突出下面１４と突出縦面１８とを合わせた円弧状、突出縦面１８と突出上面１６とを合わせた円弧状、突出下面１４と突出縦面１８と突出上面１６とを合わせた円弧状とすることもできる（図示していない）。
【００４６】
（８）  また、前記実施態様において、エンドキャップ３５を設けたが、底板片１０の両端部を折り返して、エンドキャップとすることもできる（図示していない）。また、水処理部材に多く水が溜まらない場合には（溜まる水位が低い場合には）、排水口に向けて適切な下がり水勾配を形成すればエンドキャップを省略することもできる（図示していない）。
【符号の説明】
【００４７】
１    水処理部材
３    第１板片（水処理部材）
４    第１板片の下縁
４ａ  第１板片の上縁
７    第２板片（水処理部材）
８    第２板片の下縁
８ａ  第２板片の上縁
１０  底板片（水処理部材）
１１  底板片の底部
１２  底板片の水平突出部
１４  水平突出部の突出下面
１６  水平突出部の突出上
１８  水平突出部の突出縦面
２０  底板片の排水突出部
２１  排水突出部の下面
２１ａ  排水突出部の下面の端  
２２  排水突出部の上面
２２ａ  排水突出部の上面の端  
２３  排水突出部の縦板
２４  排水口（水処理部材）
３０  逆流防止弁（水処理部材）
３１  逆流防止弁のヒンジ
３２  逆流防止弁の小板片
３５  エンドキャップ（水処理部材）
３６  しぶき止め板（水処理部材）
３７、３８  仕切板（水処理部材）
３９    水抜き孔（仕切板）
４１  壁下地材
４２  壁下地材の外面
４４  胴縁材
４６  通気層（Ｄ１）
４８  窓サッシ枠
４８ａ  窓サッシ枠のフィンの縁
４９  窓サッシ枠の上面
５１  目地間隙（Ｄ２）
５５  外壁材（外装材。サイディング）
５６  外壁材の内面
５７  外壁材の外面
５８  外壁材の下面
６１Ａ、６１Ｂ  防水テープ
６２Ａ、６２Ｂ  透湿防水シート
７０  水処理構造
【図１】
2014020169.tif 000003
【図２】
2014020169.tif 000004
【図３】
2014020169.tif 000005
【図４】
2014020169.tif 000006
【図５】
2014020169.tif 000007
【図６】
2014020169.tif 000008
【図７】
2014020169.tif 000009
【図８】
2014020169.tif 000010
【図９】
2014020169.tif 000011
【図１０】
2014020169.tif 000012